(57)【要約】      （修正有）【課題】スマートフォンを安定的に保持できるようにして、落下の防止および操作性の向上を図るとともに、ファッション性を追求することができるようにしたスマートフォン用落下防止バンドを提供する。【解決手段】スマートフォン３に装着されたスマートフォン用ハードケース４に取り付けられるスマートフォン用落下防止バンド１は、スマートフォン３とスマートフォン用ハードケース４との間隙に摺動可能に挿通されるテープ状リング半部１１を設ける。さらに、テープ状リング半部１１の両端部に両端部が直接的ないしは間接的にそれぞれ固着された手甲側リング半部１２と、手甲側リング半部１２の内面側に両端部を固着された伸縮性帯部１３と、手甲側リング半部１２に付設された装飾部材１４とを備えて構成される。【選択図】図３
0003177647.tif 000002
【実用新案登録請求の範囲】
【請求項１】
スマートフォンにスマートフォン用ハードケースを装着した状態でスマートフォンとスマートフォン用ハードケースとの間隙に摺動可能に挿通されるテープ状リング半部と、
前記テープ状リング半部の両端部に両端部が直接的ないしは間接的にそれぞれ固着された手甲側リング半部と、
前記手甲側リング半部の内面側に両端部を固着された伸縮性帯部と
から構成されることを特徴とするスマートフォン用落下防止バンド。
【請求項２】
前記手甲側リング半部に、装飾部材が付設されていることを特徴とする請求項１記載のスマートフォン用落下防止バンド。
【請求項３】
スマートフォンにスマートフォン用ハードケースを装着した状態でスマートフォンとスマートフォン用ハードケースとの間隙に摺動可能に挿通されるテープ状リング半部と、
前記テープ状リング半部の両端部に両端部をそれぞれ固着された伸縮性リング半部と
から構成されることを特徴とするスマートフォン用落下防止バンド。
【請求項４】
前記伸縮性リング半部を覆うように、かつ前記テープ状リング半部の両端部に両端部がそれぞれ固着された円筒布状被覆部材を備えることを特徴とする請求項３記載のスマートフォン用落下防止バンド。
【考案の詳細な説明】
【技術分野】
【０００１】
本考案はスマートフォン用落下防止バンドに関し、さら詳しくはスマートフォンにスマートフォン用ハードケースを利用して取り付けられるスマートフォン用落下防止バンドに関する。
【背景技術】
【０００２】
スマートフォンは、いまや携帯電話機の主流になりつつあるが、パーソナルコンピューター（パソコン）の技術をベースに製造されているため、衝撃や水に弱く、慎重な取り扱いを要する電子機器である。
【０００３】
オリコン株式会社による携帯電話機利用者の男女１０〜４０代を対象にした携帯電話機の破損に関する調査結果では、９４２人中８７人が「自分で壊したことがある」と回答した。携帯電話機の破損の原因について聞いたところ、「水没させた」が３６．８％で最も多く、「画面を破損した」（３３．３％）、「落としすぎて正常に起動しなくなった（画面破損は除く。）（１８．４％）と続いた（非特許文献１参照）。
【０００４】
スマートフォンは、従来の携帯電話機（フィーチャーフォン）に比べて画面の露出面積が広く外形も大きくなり、かつ重いので、片手で長時間安定して把持し続けることには困難が伴う。特に、女性や子供等の小さな手では、スマートフォンを片手で長時間安定して持つことはより困難である。また、スマートフォンを手に持ちながらの長時間の操作は利用者に大きな負担であり、このため、手からスマートフォンを落下させて、破損させたり、水没させたりする等の事故が多く発生していた。従来のスマートフォンの落下による破損や故障を防ぐ手段としては、耐震ケースや耐水ケース等の保護ケースを用いる、スマートフォン自体に耐震機能や防水機能を付けるといったことが多かった。さらに、スマートフォンの片手で操作することは難しく、片手での操作ではメールの打ち間違い、誤発信などの誤操作をするおそれが高かった。このため、従来は、スマートフォンを操作する際には、片方の手でスマートフォンを持ち、もう片方の手で操作をすることが多かった。
【０００５】
上述のような諸事情を考慮して、スマートフォンの落下を防止するとともに片手で持った状態で安定させることができるようにするために、バンカーリングと呼ばれるアクセサリーが提案されている（非特許文献２参照）。このバンカーリングは、リングの付いた基板をスマートフォンの背面に接着し、リングに指１本または２本を挿通してスマートフォンを保持するものである。
【０００６】
一方、ｉＰｈｏｎｅ（登録商標）等のスマートフォン市場が女性層に拡大したことにより、アプリケーション（アプリ）はあまり購入しないが、スマートフォン用ケース等のアクセサリーをファッションとして楽しむ新しい層が拡大しているとの報告がある（非特許文献３参照）。このことから、スマートフォンのアクセサリーの需要が非常に増える傾向にあることが伺える。
【０００７】
例えば、スマートフォン用ケースは、合成樹脂や金属等の素材でスマートフォンの一部を被覆するように形成されており、落下時の衝撃を吸収するとともに、スマートフォンの色彩や模様を変えてスマートフォンでスマートフォン利用者の個性を表現したり、ファッション性を楽しんだりするために使用される。
【先行技術文献】
【非特許文献】
【０００８】
【非特許文献１】平成２３年１０月２３日付オリコンニュース「スマホ破損、ＮＯ１．理由は「水没」「画面破壊」も３割に」、[online]、オリコン株式会社、［平成２４年５月２５日検索］、インターネット＜http://life.oricon.co.jp/2002987/full/＞
【非特許文献２】「アクセタウン楽天市場支店ホームページ」、[online]、大伍貿易株式会社、［平成２４年５月２５日検索］、インターネット＜http://item.rakuten.co.jp/acce-town/bunkerring/＞
【非特許文献３】２０１２年４月１８日付Ｙａｈｏｏニュース「iPhoneアクセサリー市場はアプリ市場より成長する!?  AppBank Storeが東急プラザ表参道原宿にオープン」[online]、ヤフー株式会社、［平成２４年５月２５日検索］、インターネット＜http://headlines.yahoo.co.jp/hl?a=20120418-00000034-zdn_m-mobi＞
【考案の概要】
【考案が解決しようとする課題】
【０００９】
上述した従来のスマートフォンは、外形が大きく、かつ重く、片手で長時間安定して把持し続けることには困難が伴うので、スマートフォンを手に持ちながらの長時間の操作は利用者の大きな負担であり、特に片手での操作ではメールの打ち間違い、誤発信などの誤操作が生じて支障をきたすという問題点があった。
【００１０】
また、従来使用されることがあるバンカーリングは、リングの付いた基板をスマートフォンの背面に接着し、リングに指１本または２本を挿通してスマートフォンを保持するものであるが、バンカーリングとスマートフォンとが接着されているだけなので、両者が容易に外れてしまうことがあるという問題点があった。
【００１１】
さらに、スマートフォンの落下時の衝撃を吸収するとともに、スマートフォンの色彩や模様を変えてファッション性を楽しむためにスマートフォン用ケースが用いられることはあったが、スマートフォン用ケース自体には、スマートフォンを片手で保持した際の落下防止機能や操作性を向上させる機能はなかった。
【００１２】
本考案の目的は、上述の点に鑑み、スマートフォンにスマートフォン用ハードケースを利用して取り付けることにより、スマートフォンの落下を防止できるようにしたスマートフォン用落下防止バンドを提供することにある。
【００１３】
また、本考案の他の目的は、スマートフォンを片手で安定的に保持できるようにすることにより、スマートフォンの片手での操作性を向上できるようにしたスマートフォン用落下防止バンドを提供することにある。
【００１４】
さらに、本考案の別の目的は、スマートフォンに着脱自在に取り付けられるようにすることにより、スマートフォンにさらなるファッション性を持たせることができるようにしたスマートフォン用落下防止バンドを提供することにある。
【課題を解決するための手段】
【００１５】
請求項１記載のスマートフォン用落下防止バンドは、スマートフォンにスマートフォン用ハードケースを装着した状態でスマートフォンとスマートフォン用ハードケースとの間隙に摺動可能に挿通されるテープ状リング半部と、前記テープ状リング半部の両端部に両端部が直接的ないしは間接的にそれぞれ固着された手甲側リング半部と、前記手甲側リング半部の内面側に両端部を固着された伸縮性帯部とから構成されることを特徴とする。
【００１６】
請求項２記載のスマートフォン用落下防止バンドは、請求項１記載のスマートフォン用落下防止バンドにおいて、前記手甲側リング半部に、装飾部材が付設されていることを特徴とする。
【００１７】
請求項３記載のスマートフォン用落下防止バンドは、スマートフォンにスマートフォン用ハードケースを装着した状態でスマートフォンとスマートフォン用ハードケースとの間隙に摺動可能に挿通されるテープ状リング半部と、前記テープ状リング半部の両端部に両端部をそれぞれ固着された伸縮性リング半部とから構成されることを特徴とする。
【００１８】
請求項４記載のスマートフォン用落下防止バンドは、請求項３記載のスマートフォン用落下防止バンドにおいて、前記伸縮性リング半部を覆うように、かつ前記テープ状リング半部の両端部に両端部がそれぞれ固着された円筒布状被覆部材を備えることを特徴とする。
【考案の効果】
【００１９】
請求項１記載のスマートフォン用落下防止バンドによれば、スマートフォンにスマートフォン用ハードケースを装着した状態でスマートフォンとスマートフォン用ハードケースとの間隙に摺動可能に挿通されるテープ状リング半部と、テープ状リング半部の両端部に両端部が直接的ないしは間接的にそれぞれ固着された手甲側リング半部と、手甲側リング半部の内面側に両端部を固着された伸縮性帯部とから構成されるので、スマートフォン用ハードケースとスマートフォン用落下防止バンドとの間に手を入れることにより、スマートフォンの落下を防止することができるという効果がある。また、スマートフォンの片手での操作性を向上できるという効果がある。さらに、スマートフォン用落下防止バンドの選択および変更により、スマートフォンにファッション性を持たせ、スマートフォン利用者の個性を表現することを可能にするという効果がある。
【００２０】
請求項２記載のスマートフォン用落下防止バンドによれば、手甲側リング半部に、装飾部材が付設されているので、スマートフォン用落下防止バンドの選択および変更によってスマートフォンのファッション性をさらに際立たせることができることができるという効果がある。
【００２１】
請求項３記載のスマートフォン用落下防止バンドによれば、スマートフォンにスマートフォン用ハードケースを装着した状態でスマートフォンとスマートフォン用ハードケースとの間隙に摺動可能に挿通されるテープ状リング半部と、テープ状リング半部の両端部に両端部をそれぞれ固着された伸縮性リング半部とから構成されるので、スマートフォン用ハードケースとスマートフォン用落下防止バンドとの間に手を入れることにより、スマートフォンの落下を防止できるという効果がある。また、スマートフォンの片手での操作性を向上できるという効果がある。さらに、スマートフォン用落下防止バンドの選択および変更により、スマートフォンにファッション性を持たせ、スマートフォン利用者の個性を表現することを可能にするという効果がある。
【００２２】
請求項４記載のスマートフォン用落下防止バンドによれば、伸縮性リング半部を覆うように、かつテープ状リング半部の両端部に両端部がそれぞれ固着された円筒布状被覆部材を備えることにより、スマートフォンのファッション性をさらに際立たせることができることができるという効果がある。
【図面の簡単な説明】
【００２３】
【図１】本考案の実施例１に係るスマートフォン用落下防止バンドの正面図である。
【図２】実施例１に係るスマートフォン用落下防止バンドの側面図である。
【図３】実施例１に係るスマートフォン用落下防止バンドの取付方法を示す分解斜視図である。
【図４】実施例１に係るスマートフォン用落下防止バンドの使用状態を示す斜視図である。
【図５】本考案の実施例２に係るスマートフォン用落下防止バンドの側面図である。
【図６】実施例２に係るスマートフォン用落下防止バンドの側断面図である。
【図７】実施例２に係るスマートフォン用落下防止バンドの使用状態を示す斜視図である。
【考案を実施するための形態】
【００２４】
以下、本考案の実施例について、図面を参照しながら詳細に説明する。
【実施例１】
【００２５】
図１および図２は、本考案の実施例１に係るスマートフォン用落下防止バンド１の正面図および側面図である。
【００２６】
スマートフォン用落下防止バンド１は、テープ状リング半部１１と、手甲側リング半部１２と、伸縮性帯部１３と、装飾部材１４とから、その主要部が構成されている。
【００２７】
テープ状リング半部１１は、布地，合成樹脂，炭素繊維等の素材で薄手のテープ状に形成されており、スマートフォン３（図３参照）にスマートフォン用ハードケース４（図３参照）を装着した状態でスマートフォン３とスマートフォン用ハードケース４との間隙に摺動可能に挿通されるようになっている（図４参照）。
【００２８】
手甲側リング半部１２は、皮革，合成皮革，布等で帯状に形成されており、その両端部がテープ状リング半部１１の一端部および伸縮性帯部１３の一端部にそれぞれ糸で縫い付けられている。なお、テープ状リング半部１１と手甲側リング半部１２との固着方法は、糸による縫合に限られず、接着剤による接合、熱硬化樹脂による熱熔着等の各種方法を採用することができる。スマートフォン３に装着されたスマートフォン用ハードケース４に取り付けた際に、手甲側リング半部１２は、外側となり、色彩や模様を付けることによってスマートフォン３にファッション性を持たせることができる。
【００２９】
伸縮性帯部１３は、伸縮性を有する布ゴムバンド，ゴムバンド，合成樹脂バンド等の素材で帯状に形成されており、一端は手甲側リング半部１２の内側に、他端はテープ状リング半部１１の一端および手甲側リング半部１２の一端にそれぞれ糸で縫い付けられている。なお、伸縮性帯部１３とテープ状リング半部１１および手甲側リング半部１２との固着方法は、糸による縫合に限られず、接着剤による接合、熱硬化樹脂による熱熔着等の各種方法を採用することができる。伸縮性帯部１３に伸縮性のある素材を用いることにより、伸縮性帯部１３が手甲側リング半部１２を手に弾性的に密着させるとともに、手甲側リング半部１２と伸縮性帯部１３との間に指を挿入したときに抜けにくくする役割を果たす。
【００３０】
装飾部材１４は、皮革、合成皮革，布等でリボン状に形成されており、手甲側リング半部１２の外面に接着剤等で固着されている。スマートフォン３に装着されたスマートフォン用ハードケース４にスマートフォン用落下防止バンド１を取り付けた際に、装飾部材１４を付設した手甲側リング半部１２が外側となり、装飾部材１４が外部に露出するので、スマートフォン３により一層のファッション性を持たせることができる。なお、装飾部材１４をリボン状のものとしたが、装飾部材１４はどのようなものでもよく、例えば、金属、石、ガラス等の他の素材で所望の形状およびサイズに形成することができる。
【００３１】
スマートフォン用落下防止バンド１のサイズは、例えば、全体の長さが２３２〜２３８ｍｍに設定される。テープ状リング半部１１のサイズは、例えば、長さが１３０〜１３３ｍｍ、幅が１０〜２０ｍｍに設定される。手甲側リング半部１２のサイズは、長さが１０２〜１０５ｍｍ、幅が１０〜２０ｍｍに設定される。
【００３２】
次に、このように構成された実施例１に係るスマートフォン用落下防止バンド１の使用方法について説明する。なお、以下においては、スマートフォン３が、例えば、米国アップル社製のｉＰｈｏｎｅ（登録商標）、特にｉＰｈｏｎｅ４であるものとして説明する。しかしながら、スマートフォン３はこれに限られるわけではなく、アンドロイド搭載携帯電話機、ウインドウズモバイル搭載携帯電話機等の、その他の携帯電話機であってもよいことはいうまでもない。
【００３３】
スマートフォン３にスマートフォン用落下防止バンド１を取り付けるときには、図３に示すように、スマートフォン用ハードケース４を利用する。なお、スマートフォン用ケースには、ソフトケースとハードケースとがあるが、ソフトケースの場合には、本考案のスマートフォン用落下防止バンドを取り付けた際に自らの弾性で変形して、スマートフォン用落下防止バンドを脱落させてしまう恐れがあるので、本考案では利用しないものとする。
【００３４】
スマートフォン３は、正面（図３において上面。以下同様）中央部に長方形のタッチスクリーンディスプレイ３１が、正面上端縁部にはインカメラ３２およびスピーカー３３が、正面下端縁部にはホームボタン３４がそれぞれ設けられている。また、スマートフォン３の上端面（図３において左端面。以下同様）にはスリープ／ウェイクボタン３５およびイヤフォン・マイクジャック３６が設けられ、スマートフォン３の左端面（図３において前端面。以下同様）にはマナースイッチ３７およびボリュームコントロールボタン３８，３８が設けられている。さらに、スマートフォン３の背面の左上隅部には、高解像度カメラ３９（図４参照）およびＬＥＤフラッシュ４０（図４参照）が設けられている。なお、スマートフォン３の下端面には外部接続コネクターおよびマイク・スピーカー、スマートフォン３の右端面にはマイクロＳＩＭスロットがそれぞれ設けられているが、本考案とは直接関係しないので、特には図示しない。
【００３５】
スマートフォン用ハードケース４は、合成樹脂，金属等の素材でスマートフォン３の背面および外周に嵌合するように長方形皿状に形成されており、スマートフォン３の背面と当接する背面板部４１と、スマートフォン３の右側面と当接する右側面壁部４２と、スマートフォン３の左側面と当接する左側面壁部４３とから、その主要部が構成されている。
【００３６】
背面板部４１には、スマートフォン３へのスマートフォン用ハードケース４の装着時にスマートフォン３の高解像カメラ３９およびＬＥＤフラッシュ４０が外部に露呈するように長孔４１ａが穿設されている（図４参照）。
【００３７】
右側面壁部４２は、背面板部４１の右端縁から垂直に立ち上がるように延出され、その両端部は背面板部４１の上端縁および下端縁で背面板部４１の内方に向けてそれぞれ湾曲されて若干延長されている。また、右側面壁部４２の先端縁には、背面板部４１の内方に向けて若干突出する係止用突条４２ａが突設されている。背面板部４１の内面と係止用突条４２ａの下面との距離は、スマートフォン３とスマートフォン用ハードケース４との嵌合時に係止用突条４２ａがスマートフォン３の右側縁を係止してスマートフォン３を抜け止めするように、スマートフォン３の厚みとほぼ同じになるように設定されている。
【００３８】
左側面壁部４３は、背面板部４１の左端縁から垂直に立ち上がるように延出され、またその両端部は背面板部４１の上端縁および下端縁で背面板部４１の内方に向けてそれぞれ湾曲されて若干延長されている。また、左側面壁部４３の先端縁には、背面板部４１の内方に向けて若干突出する係止用突条４３ａが突設されている。背面板部４１の内面と係止用突条４３ａの下面との距離は、スマートフォン３とスマートフォン用ハードケース４との嵌合時に係止用突条４３ａがスマートフォン３の左側縁を係止してスマートフォン３を抜け止めするように、スマートフォン３の厚みとほぼ同じになるように設定されている。また、左側面壁部４３の上端寄りには、スマートフォン３のマナースイッチ３７およびボリュームコントロールボタン３８，３８が操作可能に外部に露呈するように長孔４３ｂおよび４３ｃがそれぞれ穿設されている。
【００３９】
まず、右側面壁部４２および左側面壁部４３間の背面板部４１の内面にテープ状リング半部１１を載せるようにスマートフォン用落下防止バンド１をスマートフォン用ハードケース４に配置する。このとき、手甲側リング半部１２、伸縮性帯部１３および装飾部材１４は、スマートフォン用ハードケース４の背面側に垂れ下がるように位置し、かつ伸縮性帯部１３がスマートフォン３のホームボタン３４側となるようにする。
【００４０】
次に、この状態からスマートフォン３をスマートフォン用ハードケース４に対して上から押し込むようにする。すると、スマートフォン用ハードケース４の右側面壁部４２および左側面壁部４３がスマートフォン３から加えられる力によって自身の弾性で左右外方向に若干撓んで右側面壁部４２，左側面壁部４３間が開いてスマートフォン３がスマートフォン用ハードケース４内に嵌入される。スマートフォン３の背面がスマートフォン用ハードケース４の内面に当接するまで押し込まれると、右側面壁部４２および左側面壁部４３が自身の弾性によって左右内方向に復元して係止用突条４２ａおよび４３ａがスマートフォン３の前面の左右両端縁をそれぞれ係止し、スマートフォン３にスマートフォン用ハードケース４がスマートフォン用落下防止バンド１とともに装着される（図４参照）。
【００４１】
このスマートフォン３へのスマートフォン用ハードケース４の装着状態では、スマートフォン用落下防止バンド１は、スマートフォン３とスマートフォン用ハードケース４との間隙でテープ状リング半部１１が上下方向および左右方向に若干摺動することが可能であるが、スマートフォン３とスマートフォン用ハードケース４との間隙に厚みのある手甲側リング半部１２や伸縮性帯部１３が入り込むことはできず、所定の範囲内でそれ以上の摺動が規制されている。
【００４２】
このため、図４に示すように、スマートフォン用ハードケース４とスマートフォン用落下防止バンド１との間に手を入れてスマートフォン用ハードケース４を指と掌で把持するようにすれば、スマートフォン３を手で安定して保持することができるとともに、たとえ指の力を緩めたとしても手甲側リング半部１２に手が引っ掛かり、スマートフォン３が手から落下することを未然に防止することができる。特に、手甲側リング半部１２と伸縮性帯部１３との間に小指を挿入するようにすれば、小指が手甲側リング半部１２と伸縮性帯部１３との間から抜け止めされ、スマートフォン３を手から落下させる危険性をさらに小さくすることができる。
【００４３】
なお、図４では、スマートフォン用ハードケース４とスマートフォン用落下防止バンド１との間に左手を入れるように図示したが、右手を入れるようにすることもできる。また、手甲側リング半部１２と伸縮性帯部１３との間に小指を挿入するように図示したが、スマートフォン用落下防止バンド１の取り付け方向を上下逆にして親指を挿入するようにすることもできる。
【００４４】
以上説明したように、実施例１によれば、スマートフォン用ハードケース４とスマートフォン用落下防止バンド１との間に手を入れてスマートフォン用ハードケース４を指と掌で把持するようにしたので、たとえ指の力を緩めたとしても手甲側リング半部１２に手が引っ掛かり、スマートフォン３が手から落下することを容易に阻止することができる。これにより、スマートフォン３の落下による破損や水没等の事故を未然に防止することができる。
【００４５】
また、スマートフォン用ハードケース４とスマートフォン用落下防止バンド１との間に手を入れてスマートフォン用ハードケース４を指と掌で把持するようにしたので、スマートフォン３を片手で操作する際に安定感が得られために片手での操作性が向上し、メールの打ち間違い、誤発信などの誤操作を容易に防止することができる。
【００４６】
さらに、スマートフォン用落下防止バンド１の手甲側リング半部１２に装飾部材１４を付設したので、スマートフォン３のファッション性をさらに追求しようとするスマートフォン利用者の欲求を満足させることができる。
【実施例２】
【００４７】
図５および図６は、本考案の実施例２に係るスマートフォン用落下防止バンド２を示す側面図および側断面図である。
【００４８】
スマートフォン用落下防止バンド２は、テープ状リング半部２１と、伸縮性リング半部２２と、円筒布状被覆部材２３とから、その主要部が構成されている。
【００４９】
テープ状リング半部２１は、実施例１におけるテープ状リング半部１１と同様に、布地、合成樹脂，炭素繊維等の素材で薄手のテープ状に形成されており、スマートフォン３とスマートフォン用ハードケース４との間隙に摺動可能に挿通されるようになっている。
【００５０】
伸縮性リング半部２２は、実施例１における伸縮性帯部１３と同様に、伸縮性を有する布ゴムバンド，ゴムバンド，合成樹脂バンド等の素材で帯状に形成されており、その両端部をテープ状リング半部２１の両端部に糸でそれぞれ縫い付けられている。なお、テープ状リング半部２１と伸縮性リング半部２２との固着方法は、糸による縫合に限られず、接着剤による接合、熱硬化樹脂による熱熔着等の各種方法を採用することができる。
【００５１】
円筒布状被覆部材２３は、布，合成樹脂等の素材で円筒状に縫製されており、伸縮性リング半部２２を挿通した状態で伸縮性リング半部２２を外部から見えないように被覆するように、両端部がテープ状リング半部２１の両端部に糸でそれぞれ縫い付けられている。なお、テープ状リング半部２１と円筒布状被覆部材２３との固着方法は、糸による縫合に限られず、接着剤による接合、熱硬化樹脂による熱熔着等の各種方法を採用することができる。円筒布状被覆部材２３の自然長は、伸縮性リング半部２２の自然長よりも１．５〜２倍に設定されており、円筒布状被覆部材２３の中で伸縮性リング半部２２は自由に伸縮できるようになっている。
【００５２】
このように構成された実施例２に係るスマートフォン用落下防止バンド２は、実施例１に係るスマートフォン用落下防止バンド１と同様に、スマートフォン３とスマートフォン用ハードケース４との間隙にテープ状リング半部２１を挿通させることによって取り付けられる。
【００５３】
スマートフォン３へのスマートフォン用ハードケース４の装着状態で、スマートフォン用落下防止バンド２は、スマートフォン３とスマートフォン用ハードケース４との間隙でテープ状リング半部２１が上下方向および左右方向に若干摺動することが可能であるが、スマートフォン３とスマートフォン用ハードケース４との間隙に厚みのある伸縮性リング半部２２や円筒布状被覆部材２３が入り込むことはできず、所定の範囲内でそれ以上の摺動が規制されている。
【００５４】
そして、図７に示すように、スマートフォン用ハードケース４とスマートフォン用落下防止バンド２との間に手を入れてスマートフォン用ハードケース４を指と掌で把持するようにすれば、スマートフォン３を手で安定して保持することができるとともに、たとえ指の力を緩めたとしても伸縮性リング半部２２および円筒布状被覆部材２３に手が引っ掛かり、スマートフォン３が手から落下することを容易に阻止することができる。特に、伸縮性リング半部２２が収縮することによって手をスマートフォン用ハードケース４に押し付けるので、手がスマートフォン用ハードケース４とスマートフォン用落下防止バンド２との間から抜け止めされ、スマートフォン３を手から落下させる危険性をさらに小さくすることができる。
【００５５】
なお、図７では、スマートフォン用ハードケース４とスマートフォン用落下防止バンド２との間に左手を入れるように図示したが、右手を入れるようにしてもよい。
【００５６】
以上説明したように、実施例２によれば、スマートフォン用ハードケース４とスマートフォン用落下防止バンド２との間に手を入れてスマートフォン用ハードケース４を指と掌で把持するようにしたので、たとえ指の力を緩めたとしても伸縮性リング半部２２の緊縮弾力によって伸縮性リング半部２２および円筒布状被覆部材２３に手が引っ掛かり、スマートフォン３が手から落下することを未然に防止することができる。
【００５７】
また、スマートフォン用ハードケース４とスマートフォン用落下防止バンド２との間に手を入れてスマートフォン用ハードケース４を指と掌で把持するようにしたので、スマートフォン３を安定的に保持することができ、片手で操作する際に安定感が得られために、メールの打ち間違い、誤発信などの誤操作を未然に防止することができる。
【００５８】
さらに、伸縮性リング半部２２を円筒布状被覆部材２３で覆うようにしたので、様々な模様がプリントされた多種多様な円筒布状被覆部材２３を選択および変更することにより、スマートフォン用落下防止バンド２の色彩および模様を選択および変更させることができ、スマートフォンのファッション性を追求しようとするスマートフォン利用者の欲求を満足させることができる。また、円筒布状被覆部材２３が円筒布状であるので、ペンで加筆したり、ピンでアクセサリを付けたりすることができ、スマートフォン利用者の個性をより一層発揮させることができる。
【００５９】
以上、本考案の各実施例について説明したが、これらはあくまでも例示にすぎず、本考案はこれらに限定されるものではなく、実用新案登録請求の範囲の趣旨を逸脱しない限りにおいて、当業者の知識に基づく種々の変更が可能である。
【００６０】
例えば、様々なスマートフォンの様々なスマートフォン用ハードケースの形状に合うように、スマートフォン用落下防止バンドを適宜な素材を用いて裁断、成型縫製し、スマートフォン用ハードケースの適宜な位置に取り付けることができる。
【符号の説明】
【００６１】
１，２  スマートフォン用落下防止バンド
３  スマートフォン
４  スマートフォン用ハードケース
１１  テープ状リング半部
１２  手甲側リング半部
１３  伸縮性帯部
１４  装飾部材
２１  テープ状リング半部
２２  伸縮性リング半部
２３  円筒布状被覆部材
３１  タッチスクリーンディスプレイ
３２  インカメラ
３３  スピーカー
３４  ホームボタン
３５  スリープ／ウェイクボタン
３６  イヤフォン・マイクジャック
３７  マナースイッチ
３８  ボリュームコントロールボタン
３９  高解像度カメラ
４０  ＬＥＤフラッシュ
４１  背面板部
４１ａ  長孔
４２  右側面壁部
４２ａ  係止用突条
４３  左側面壁部
４３ａ  係止用突条
４３ｂ，４３ｃ  長孔
【図１】
0003177647.tif 000003
【図２】
0003177647.tif 000004
【図３】
0003177647.tif 000005
【図４】
0003177647.tif 000006
【図５】
0003177647.tif 000007
【図６】
0003177647.tif 000008
【図７】
0003177647.tif 000009